(57)【要約】【課題】静止型における背上げ時のずれ力を低減する構造の簡単化を図る。【解決手段】複数本の外側スリット部９と内側スリット部８とを有する第一層２とエアーマットレス４による複数個の中空な筒状のエアーセル２７との組み合わせで、へたりの問題を解消し、高い体圧分散性を実現できる。第一層２の下の第二層３にマット収容室２１を避けて設けられた上方に開口したボックス収容室２２にポンプ部２９と制御部３０とを備えた制御箱体５が収容されたことにより、マットレス装置１の長手方向６に横たわる人の足側を活用できる。第二層３に設けられた表示孔部２５によりボックス収容室２２に収容された制御箱体５の点灯した表示灯部３１の光を第二層３の外側面の側に誘導することにより、制御箱体５で判断したエアーセルの正常及び異常が人により容易に確認できる。内側スリット部８が複数本であれば、内側スリット部８による効果が上がる。【選択図】図１
2015128571.tif 000002
【特許請求の範囲】
【請求項１】
複数層からなるマットレス装置であって、上部の第一層には複数本の外側スリット部と内側スリット部とが設けられ、外側スリット部が第一層の短手方向の両側部に設けられ、内側スリット部が第一層の短手方向の両側部に位置する外側スリット部より長手方向に延びる一対の直線間に設けられ、第一層の下の第二層には上方に開口したマット収容室が設けられ、マット収容室には複数個のエアーセルからなるエアーマットレスが収容されたことを特徴とするマットレス装置。
【請求項２】
内側スリット部が複数本で第一層の長手方向に分かれた構成であることを特徴とする請求項１記載のマットレス装置。
【請求項３】
内側スリット部又は外側スリット部が第一層の上下に貫通した構成であることを特徴とする請求項１記載のマットレス装置。
【請求項４】
第二層には上方に開口したボックス収容室がマット収容室を避けて設けられ、ボックス収容室にはポンプ部と制御部とを備えた制御箱体が収容されたことを特徴とする請求項１記載のマットレス装置。
【請求項５】
第二層には表示孔部が設けられ、表示孔部がボックス収容室に収容された制御箱体の点灯した表示灯部の光を第二層の外側面の側に誘導する構成であることを特徴とする請求項４記載のマットレス装置。
【発明の詳細な説明】
【技術分野】
【０００１】
本発明は、背上げ機構を有するベッドに用いられるマットレス装置に関する。
【背景技術】
【０００２】
マットレス装置に用いられるマットレスには、静止型と圧切替型がある。静止型は、ウレタンマットレス、空気圧を一定に保つエアーマットレスがある。圧切替型は、空気圧を調整するエアーマットレスになる。静止型でウレタンマットのみのものは、長年の使用によりへたりやすいという問題がある。
【０００３】
図７及び図８は、特許文献１で開示された背上げ機構５５を有するベッド５６に用いられるマットレス装置６１を示す。図７において、マットレス装置６１は、上部の第一層６２、その下の第二層６３、その下の第三層６４からなる複数層のフォームマットレスを備え、第一層６２乃至第三層６４における各層の間にシート状の滑り部材６５，６６を介在させた構造になっている。そして、背上げ機構５５が図８に仮想線で示すように水平になった状態において、ベッド５６の上に置かれたマットレス装置６１の上に人６７が横たわる。その状態において、背上げ機構５５が図８に仮想で示す位置から実線で示す位置に起き上がると、それに伴い、図７に示す第一層６２と第二層６３と第三層６４とが滑り部材６５，６６の滑りによりずれて、図８に示す横たわる人６７の臀部や背中に圧迫感を与えないようになっている。
【０００４】
しかしながら、上記マットレス装置６１は、滑り部材６５，６６を第一層６２乃至第三層６４における各層間に介在させた構造であるので、背上げ機構の動作が繰り返されても、滑り部材６５，６６を各層間に保持するための構造が必要であるという欠点がある。
【先行技術文献】
【特許文献】
【０００５】
【特許文献１】特開２０１３−２１５６２０号公報
【発明の概要】
【発明が解決しようとする課題】
【０００６】
本発明は、上記背景技術に鑑みてなされたものであり、背上げ時のずれ力を低減する構造が簡単で、へたりが少なく、体圧分散性が良くなることを目的とする。
【課題を解決するための手段】
【０００７】
本発明は、複数層からなるマットレス装置であって、上部の第一層には複数本の外側スリット部と内側スリット部とが設けられ、外側スリット部が第一層の短手方向の両側部に設けられ、内側スリット部が第一層の短手方向の両側部に位置する外側スリット部より長手方向に延びる一対の直線間に設けられ、第一層の下の第二層には上方に開口したマット収容室が設けられ、マット収容室には複数個のエアーセルからなるエアーマットレスが収容されたことを特徴とする。
【発明の効果】
【０００８】
本発明は、複数本の外側スリット部と内側スリット部とを有する第一層とエアーマットレスによる複数個のエアーセルとの組み合わせで、背上げ時のずれ力を低減する構造が簡単で、へたりの問題を解消し、高い体圧分散性を実現できる。本発明において、内側スリット部が複数個で第一層の長手方向に分かれた構成であれば、第一層の内側スリット部で分断された範囲が広くなり、マットレス装置に長手方向に横たわる人への圧迫が低減できる。本発明において、内側スリット部又は外側スリット部が第一層の上下に貫通した構成であれば、内側スリット部又は外側スリット部の広がり方が大きくなり、第一層の内側スリット部で分断された範囲の変形が多く、その滑動により横たわる人への圧迫の低減が多くなる。本発明において、第二層にマット収容室を避けて設けられた上方に開口したボックス収容室にポンプ部と制御部とかなる制御箱体が収容されれば、マットレス装置の長手方向に横たわる人の足側を活用できる。本発明において、第二層に設けられた表示孔部によりボックス収容室に収容された制御箱体の点灯した表示灯部の光を第二層の外側面の側に誘導すれば、制御箱体で判断したエアーセルの正常及び異常が容易に確認できる。
【図面の簡単な説明】
【０００９】
【図１】発明を実施するための形態１に係るマットレス装置を分解して示す斜視図。
【図２】発明を実施するための形態１に係る第二層を分解して示す斜視図。
【図３】発明を実施するための形態１に係るマットレス装置の外観を示す斜視図。
【図４】発明を実施するための形態１に係るマットレス装置の作用を説明する側面図    に相当する模式図。
【図５】発明を実施するための形態１に係るマットレス装置の作用を説明する側面図    に相当する模式図。
【図６】発明を実施するための形態２に係るマットレス装置の外観を示す斜視図。
【図７】従来のマットレス装置の作用を説明する側面図に相当する模式図。
【図８】従来のマットレス装置の作用を説明する側面図に相当する模式図。
【発明を実施するための形態】
【００１０】
図１を参照し、発明を実施するための形態１に係る複数層からなるマットレス装置１の構造について説明する。図１において、マットレス装置１は、第一層２と第二層３とエアーマットレス４と制御箱体５と図示のされていない外装体とを備える。第一層２は、マットレス装置１の長手方向６に横たわる人の側に位置する上部に配置され、繊維を織らずに絡み合わせてシート状に構成された不織布又はウレタンフォーム等からなるフォームマットレスにより構成される。
【００１１】
第一層２には、複数本の外側スリット部８と複数本の内側スリット部９とが設けられる。外側スリット部８は、第一層２の短手方向７の両側部に長手方向６に分かれて設けられる。外側スリット部８は、長手方向６に長い縦長細隙として構成される。例えば、外側スリット部８は、上下方向１０に貫通する切り込み又は貫通孔により構成されるか、第一層２の上部又は内部が残された切り込み又は凹部により構成される。但し、第一層２の上部又は内部が残された切り込み又は凹部により構成された場合よりも、上下方向１０に貫通する切り込み又は貫通孔により構成された方が、外側スリット部８の広がり方が大きくなり、第一層２のハンモック現象を抑制する効果が向上し、体圧分散性が向上する。内側スリット部９は、第一層２の短手方向７の両側部に位置する外側スリット部８の間に長手方向６に分かれて設けられる。内側スリット部９は、短手方向７に長い横長細隙として構成される。例えば、内側スリット部９は、上下方向１０に貫通する切り込み又は貫通孔により構成されるか、第一層２の上部又は内部が残された切り込み又は凹部により構成される。但し、第一層２の上部又は内部が残された切り込み又は凹部により構成された場合よりも、上下方向１０に貫通する切り込み又は貫通孔により構成された方が、内側スリット部９の広がり方が大きくなり、第一層２のハンモック現象を抑制する効果が向上し、体圧分散性が向上する。尚、内側スリット部９が１本以上設けられれば、内側スリット部９が複数本設けられた構成よりも効果は減少するが、発明の実施するための形態の第一層２としては適用可能である。
【００１２】
第一層２において、長手方向６の一端部から他端部の側に頭領域１１、中央領域１２、足領域１３の３つの領域に区分した態様について説明する。長手方向６の一端部がマットレス装置１の長手方向６に横たわる人の頭部側であり、長手方向６の他端部がマットレス装置１の長手方向６に横たわる人の足部側であるとする。
【００１３】
頭領域１１は、第一層２の長手方向６の一端部から第一層２の長手方向６の全長の１／７までの範囲になっている。中央領域１２は、頭領域１１から第一層２の長手方向６の全長１／２の範囲になっている。足領域１３は、中央領域１２から第一層２の長手方向６の他端部までになっている。又、第一層２の短手方向７の中央の位置に一点鎖線で示す中心線１４、短手方向７の両端部から短手方向７の全長の１／７だけ短手方向７の内側にそれぞれ寄った位置に仮想線で示す直線１５，１６を図示する。直線１５，１６は、第一層２の短手方向７の両側部に位置する外側スリット部８より長手方向に延びる一対の直線である。
【００１４】
外側スリット部８について詳述する。外側スリット部８は、第一層２の中央領域１２に対応して直線１５，１６の上に、２本ずつ長手方向６に分かれて設けられた構成である。各外側スリット部８の長手方向６の長さは、第一層２の短手方向７の全長の１／５になっている。第一層２が第二層３の上に重ねられた場合、外側スリット部８が第二層３の側部層３７，３８の上に被らずマット収容室２１の上に被るように、外側スリット部８が第一層２に設けられた構成である。この構成により、マットレス装置１の上に横たわる人が寝転がった際の臀部や寝返りを打つ際の肩部等の荷重が係ると、外側スリット部８が短手方向７に広がることにより、上記マットレス装置１の上に横たわる人が寝転がった際の臀部や寝返りを打つ際の肩部等の荷重が係る部分だけが沈み込むことができ、第一層２のハンモック現象が抑制され、マットレス装置１の体圧分散性が向上する。外側スリット部８としては、直線形状、蛇行又は曲がる曲線形状等が適用可能である。
【００１５】
内側スリット部９について詳述する。内側スリット部９は、第一層２の短手方向７の両側部に位置する外側スリット部８より長手方向に延びる一対の直線１５，１６間に設けられる。具体的には、内側スリット部９は、第一層２の中央領域１２に８本が長手方向６に等間隔に分かれかつ中心線１４を横切って設けられた構成である。各内側スリット部９の短手方向７の長さは、第一層２の短手方向７の全長の１／２から２／３になっている。第二層３は、第一層２の下に配置される層であり、ウレタンフォームからなるフォームマットレスにより構成される。頭部側の４本の内側スリット部９が頭部側で短手方向７に対峙する２本の外側スリット部８に対応して配置され、足部側の４本の内側スリット部９が足部側で短手方向７に対峙する２本の外側スリット部８に対応して配置された構成である。即ち、頭部側で短手方向７に対峙する２本の外側スリット部８と、頭部側で短手方向７に対峙する２本の外側スリット部８の頭部側端を短手方向７に結ぶ直線と、頭部側で短手方向７に対峙する２本の外側スリット部８の足部側端を短手方向７に結ぶ直線とで囲まれた領域には、頭部側の４本の内側スリット部９が配置された構成である。又、足部側で短手方向７に対峙する２本の外側スリット部８と、足部側で短手方向７に対峙する２本の外側スリット部８の頭部側端を短手方向７に結ぶ直線と、足部側で短手方向７に対峙する２本の外側スリット部８の足部側端を短手方向７に結ぶ直線とで囲まれた領域に、足部側の４本の内側スリット部９が配置された構成である。内側スリット部９としては、直線形状、蛇行又は曲がる曲線形状等が適用可能である。
【００１６】
第二層３には、マット収容室２１とボックス収容室２２と溝部２３，２４と表示孔部２５とが設けられる。マット収容室２１は、エアーマットレス４を収容するように、第二層３の上面から内部に窪む造形であり、マットレス装置１に長手方向６に横たわる人の頭部乃至脹脛部に対応するように、第二層３の短手方向７の中央部で上方に開口した平面視方形の凹部として構成される。マット収容室２１の平面視形状は、長手方向６の寸法が短手方向７の寸法より大きな長方形であり、縦長な長方形になっている。マット収容室２１は、第二層３の長手方向６の一端部の側にも開口した構成である。
【００１７】
ボックス収容室２２は、制御箱体５を収容するように、第二層３の上面から内部に窪む造形であり、マットレス装置１に長手方向６に横たわる人の足部に対応するように、第二層３の短手方向７の中央部でマット収容室２１を避けて上方に開口し平面視方形の凹部として構成される。ボックス収容室２２の平面視形状は、長手方向６の寸法が短手方向７の寸法より小さな長方形であり、横長な長方形になっている。
【００１８】
溝部２３，２４は、エアーホース３２と電源線３３とを収容するように、第二層３の上面から内部に窪む造形である。エアーホース３２は、エアーマットレス４と制御箱体５とを繋ぐ構成である。電源線３３は、制御箱体５から延びた端部にプラグ部３４を備えた構成である。溝部２３は、ボックス収容室２２を避けてマット収容室２１と第二層３の他端部の側と上方とに開口する構成である。溝部２４は、ボックス収容室２２と溝部２３と上方とに開口する構成である。
【００１９】
エアーマットレス４について詳述する。エアーマットレス４は、空気の漏れない材料からなる中空で膨張可能な複数個のエアーセル２７がエアーマットレス４の短手方向７に横長であると共にエアーマットレス４の長手方向６に並列に配置されて互いに連結された体圧分散性能の有る造形である。各エアーセル２７がエアーマットレス４の短手方向７に長い中空な造形に構成される。各エアーセル２７がエアーマットレス４の長手方向６に並列に配置されて互いに通気可能に連結されてエアーマットレス４を構成する。
【００２０】
エアーマットレス４が第二層３の上方からマット収容室２１に収容された場合、複数個のエアーセル２７が長手方向６に並列に配置されて短手方向７に移動しないように、マット収容室２１の短手方向７の内壁面を構成する第二層３の部分とマット収容室２１のボックス収容室２２の側の内壁面を構成する第二層３の部分とに接触する構成である。又、エアーセル２７を固定するために、マット収容室２１部分の基部層３６に小孔を設け、エアーセル２７と基部層３６を別途部材で固定する構成である。
【００２１】
制御箱体５について詳述する。制御箱体５は、内部にポンプ部２９と制御部３０と表示灯部３１を収容した構成である。ポンプ部２９は、制御部３０におけるポンプ駆動回路部から出力された電力により、吸気した外気を圧縮した圧縮空気としてエアーマットレス４に供給する構成である。ポンプ部２９の排気口部とエアーマットレス４の給気口部とが、合成樹脂からなる可撓性の有るエアーホース３２で互いに連結された構成である。
【００２２】
制御部３０には、プラグ部３４を有する電源線３３が接続された構成である。プラグ部３４が室内における商用電源部のコンセント部に接続され、電源スイッチ部の人為的なオン動作により、電源線３３から供給された交流の電力が制御部３０に供給され、制御部３０から交流の電力がポンプ部２９に供給され、又、制御部３０から図示のされていない変換部に供給された交流の電力が直流の電力に変換されて表示灯部３１に供給される構成である。つまり、ポンプ部２９は制御部３０の制御に基づき交流の電力で駆動する構成であり、表示灯部３１は制御部３０の制御に基づき直流の電力で点灯する構成である。
【００２３】
制御部３０は、ポンプ部２９からエアーマットレス４の側に供給される空気圧を検出し（以下、検出した空気圧を検出空気圧という）、検出空気圧が制御部３０の記憶部にあらかじめ書き換え不可能に保存された最大値に到達すると、ポンプ部２９への電力供給を停止し、その後、検出空気圧が最大値から減少し制御部３０の記憶部にあらかじめ書き換え不可能に保存された再始動値に到達すると、ポンプ部２９への電力供給を再開する構成である。即ち、発明を実施するための形態１に係るエアーマットレス４は、制御部３０の記憶部にあらかじめ書き換え不可能に保存された最大値と制御部３０の記憶部にあらかじめ書き換え不可能に保存された再始動値と間に空気圧を一定に保つ静止型になっている。
【００２４】
上記制御部３０の構成により、エアーマットレス４には再始動値と最大値との範囲の空気圧になるように圧縮空気が供給された状態になり、空気圧はエアーセル２７の大きさによって適宜設定される。
【００２５】
又、制御部３０は、最大値と再始動値との範囲としての規定値で駆動するようにポンプ部２９の制御中は、表示灯部３１に対する表示回路部の正常点灯回路部に直流を供給する構成である。この制御部３０の構成により、表示灯部３１の緑色を発光するＬＥＤのような表示灯が点灯する。
【００２６】
又、制御部３０が最大値と再始動値との範囲で駆動するようにポンプ部２９の制御中において、例えば、エアーホース３２が外れた、エアーセル２７が破損した等により、ポンプ部２９からエアーマットレス４に圧縮空気が適正に供給されないことから、検出空気圧が規定値を下回った場合、異常を知らせる構成である。
【００２７】
上記制御部３０の異常を知らせる構成により、表示灯部３１のＬＥＤのような表示灯が
赤色を発光するように点灯する。表示灯部３１の点灯した態様は、制御箱体５の外部から
人により可視できる構成である。ボックス収容室２２に収容された制御箱体５の点灯した
表示灯部３１の光は、第二層３の表示孔部２５から外部に誘導される構成である。
【００２８】
第一層２と第二層３とエアーマットレス４と制御箱体５とからマットレス装置１を組み立てる場合について説明する。マット収容室２１にはエアーマットレス４が収容され、ボックス収容室２２には制御箱体５が収容され、溝部２３，２４にはエアーホース３２及び電源線３３が収容され、電源線３３のプラブ部３４の側が溝部２３から第二層３の他端部の側の外部に配置され、表示灯部３１が表示孔部２５に対応して配置される。尚、溝部２３，２４には、エアーホース３２及び電源線３３が配置された簡素な態様である。
【００２９】
そして、第一層２が第二層３の上に被せられるように板状に配置されてエアーマットレス４と制御箱体５とエアーホース３２と電源線３３とマット収容室２１の上方の開口とボックス収容室２２の上方の開口と溝部２３，２４の上方の開口と側部層３７，３８の上面部と足部層３９の上面部とを被覆し、マットレス装置１が図３に示す造形に構成される。
【００３０】
図1における、基部層３６，側部層３７，３８、足部層３９、下ボックス収容室４０、上ボックス収容室４１については、図２で説明する。
【００３１】
図２を参照し、発明を実施するための形態１に係る第二層３の構造について説明する。第二層３は、基部層３６と側部層３７，３８と足部層３９とを備え、基部層３６の短手方向７に位置する両側部の上に側部層３７，３８が個別に配置され、側部層３７，３８の間において基部層３６の長手方向６の他端部の上に足部層３９が配置される構成である。
【００３２】
基部層３６は、長手方向６の寸法が短手方向７の寸法よりも長い平面視縦長な長方形の板状に構成される。基部層３６の他端部には、表示孔部２５及び下ボックス収容室４０が形成される。表示孔部２５は、平面視縦長な長方形で上下及び他端部の側に貫通する構成である。下ボックス収容室４０は、平面視横長な長方形で上下に貫通する構成である。
【００３３】
側部層３７，３８は、長手方向６の寸法が短手方向７の寸法よりも長い平面視縦長な長方形の板状に構成される。足部層３９は、長手方向６の寸法が短手方向７の寸法よりも短い平面視横長な長方形の板状に構成される。足部層３９の短手方向７の寸法は、基部層３６の短手方向７の一端部の上に配置された側部層３７，３８と基部層３６の短手方向７の他端部の上に配置された側部層３８との間の短手方向７の寸法よりも小さい構成である。この足部層３９の短手方向７の寸法と側部層３７，３８の間の短手方向７の寸法との差が、図１に示す溝部２３の短手方向７の寸法になる構成である。
【００３４】
図２に戻り、足部層３９には、溝部２４及び上ボックス収容室４１が形成される。溝部２４は、平面視横長な長方形で上下及び上ボックス収容室４１並びに短手方向７の一端部の側に貫通する構成である。上ボックス収容室４１は、平面視横長な長方形で上下に貫通する構成である。
【００３５】
発明を実施するための形態１に係る第二層３の組立方について説明する。基部層３６の短手方向７に位置する両側部の上に側部層３７，３８が個別に配置され、一点鎖線４２で示すように側部層３７の短手方向７の一側面と基部層３６の短手方向７の一側面とが上下方向１０で一致し、一点鎖縁４３で示すように側部層３８の短手方向７の他側面と基部層３６の短手方向７の他側面とが上下方向１０で一致するように、基部層３６と側部層３７，３８とが互いに接着剤により固定される。この基部層３６と側部層３７，３８との固定は、接着剤を使用しない例えば凹部と凸部との嵌め合い又は固定具等による他の構成でも適用可能である。
【００３６】
又、側部層３７，３８の間に図１に示す溝部２３が形成されるように、図２に一点鎖線４４で示すように足部層３９が基部層３６の上に配置され、下ボックス収容室４０と上ボックス収容室４１とが互いに重ね合わされて図１に示すボックス収容室２２になるように、基部層３６と足部層３９とが互いに接着剤により固定される。以上により、第二層３は図１に示す造形に構成される。上記基部層３６と足部層３９との固定は、接着剤を使用しない例えば凹部と凸部との嵌め合い又は固定具等による他の構成でも適用可能である。
【００３７】
図３を参照し、発明を実施するための形態１に係るマットレス装置１について説明すると、マットレス装置１は、袋状に縫製された図示のされていない外装体で包まれる場合、電源線３３とプラグ部３４とが外装体の外部に配置された態様である。外装体はマットレス装置１を包む大きさの袋状に縫製された一部に開閉可能な開口部を備えた構成である。よって、マットレス装置１が外装体の開放された開口部から外装体の内部に収容された後、外装体の開口部が閉じられることにより、マットレス装置１が外装体で包まれる。
【００３８】
外装体におけるマットレス装置１の表示孔部２５の側部側端面の開口と対応する部分には網目部材で覆われた窓部が向けられ、表示灯部３１の点灯した光が網目部材を通して外装体の外部から人により確認できる構成である。
【００３９】
図４及び図５を参照し、マットレス装置１の作用について説明する。図４及び図５では、外装体を省略してある。以下の説明において、制御箱体５、外側スリット部８、内側スリット部９、ポンプ部２９、制御部３０、表示灯部３１、電源線３３、プラグ部３４については図１を参照下さい。又、図４及び図５においては、図３に示すマットレス装置１の側部層３８の図示を省略している。
【００４０】
先ず、図４において、マットレス装置１に用いられるベッド４６は、固定フレーム４７に背上げ機構４８を備えた構成である。そして、固定フレーム４７の脚部４９が床５０の上に置かれ、背上げ機構４８が水平になった態様において、第二層３が下になるように、マットレス装置１がベッド４６の上に搭載される。
【００４１】
そして、マットレス装置１のプラグ部３４が室内の図示のされていない商用電源部のコンセント部に差し込まれ、制御箱体５の電源スイッチ部が人為的な操作でオン動作され、ポンプ部２９及び制御部３０が作動し、表示灯部３１が正常な作動状態を示す緑色を発光し、エアーマットレス４の複数個のエアーセル２７が膨張し、エアーセル２７の内部の圧力が最大値に到達すると、ポンプ部２９の作動が停止する。
【００４２】
上記のように表示灯部３１が緑色を発光し、エアーセル２７の内部の圧力が最大値に到達した態様において、図４に示すように、マットレス装置１の上に人５１が横たわり、人５１の頭部が第一層２の頭領域１１上に置かれ、人５１の背中部から大腿部までの部分が第一層２の中央領域１２の上に置かれ、人５１の下肢部が第一層２の足領域１３の上に置かれる。そして、上記ように人５１がマットレス装置１の上に横たわると、マットレス装置１に荷重がかかる。
【００４３】
例えば、図示は省略したが、従来の第一層２に外側スリット部８と内側スリット部９とが設けられていない複数層のフォームマットレスを積層した構造のマットレス装置は、硬さの異なる層を積層していたので、マットレス装置の上に横たわる人が寝転がった際の臀部や寝返りを打つ際の肩部等の荷重が係る部分はその部分だけ沈み込むといったことができず、体圧分散性が悪くなっていた。
【００４４】
これに対し、図３に示すように、発明を実施するための形態１に係るマットレス装置１にあっては、第一層２に外側スリット部８と内側スリット部９とが設けられた構成であるので、マットレス装置１の上に横たわる人が寝転がった際の臀部や寝返りを打つ際の肩部等の荷重が係ると、外側スリット部８が短手方向７に広がり内側スリット部９が長手方向６に広がることにより、上記マットレス装置１の上に横たわる人が寝転がった際の臀部や寝返りを打つ際の肩部等の荷重が係る部分だけが沈み込むことができ、第一層２が全体的に人の体重により張りすぎることがなく、第一層２のハンモック現象が抑制され、体圧分散性が良くなる。
【００４５】
又、外側スリット部８が短手方向７に広がることにより、第一層２が全体的に中央部の側にずれないように抑制され、外側スリット部８よりも外側の両側部分が跳ね上がらないように抑制される。つまり、第一層２に上記のような臀部や肩部等の荷重がかかっても、外側スリット部８と内側スリット部９とで仕切られた範囲が部分的に沈み込むことで、第一層２を全体的に引っ張ることがないため、ハンモック現象を発生しにくく体圧分散性が良くなる。
【００４６】
又、図４に示した状態から図５に示したように、背上げ機構４８が図５の仮想線で示す位置から実線で示す位置に起き上がる過程において、第一層２がエアーマットレス４の上を矢印５２で示すように上方に滑ってずれて横たわる人５１の臀部や背中に圧迫感を与えないようになっている。上記背上げ機構４８の第一層２がエアーマットレス４の起き上がりに伴い、第一層２が上方に滑るのは、複数個のエアーセル２７が中空な筒状に造形された構成により、第一層２とエアーマットレス４との接触面積が低減されて滑りやくなっているからである。
【００４７】
図６を参照し、発明を実施するための形態２に係るマットレス装置１について説明する。図６に示した発明を実施するための形態２に係るマットレス装置１は、図示のされていない外装体が取り外された状態である。第一層２の頭部側を足部側とし、第一層２の足部側を頭部側として使用
と足部側とを入れ替えて使用できるように、外側スリット部８及び内側スリット部９が第一層２の長手方向６の中心線１７を境として頭部側と足部側と分かれて第一層２に設けられる。尚、発明を実施するための形態１と同様、内側スリット部９は、第一層２の短手方向７の両側部に位置する外側スリット部８より長手方向に延びる一対の直線１５，１６間に設けられる。具体的には、内側スリット部９は、短手方向７の両側部に外側スリット部８が存在する頭部側、短手方向７の両側部に外側スリット部８が存在する足部側、短手方向７の両側部に外側スリット部８が存在しない中心線１７の側の区画に分かれている。又、第一層２が中心線１７を中心として２つに折り曲げられた場合、中心線１７より頭部側に配置された外側スリット部８並びに内側スリット部９と中心線１７より足部側に配置された外側スリット部８並びに内側スリット部９とが互いに重なるように対象形になっている。又、内側スリット部９は、斜め方向に長い斜長細隙として構成される。例えば、図６に示したように、２本の斜長細隙が互いに交差することなく違う斜め方向に長くなったＴ字形状、図示のされていない２本の斜長細隙が互いに交差したＸ字形状、図示のされていない１本の斜長細隙等として構成するが考えられる。図６に示した内側スリット部９を構成する斜長細隙としては、直線形状、蛇行又は曲がる曲線形状等が適用可能である。又、内側スリット部９は、上下方向１０に貫通する切り込み又は貫通孔により構成されるか、第一層２の上部又は内部が残された切り込み又は凹部により構成される。但し、第一層２の上部又は内部が残された切り込み又は凹部により構成された場合よりも、上下方向１０に貫通する切り込み又は貫通孔により構成された方が、内側スリット部９の広がり方が大きくなり、第一層２のハンモック現象を抑制する効果が向上し、体圧分散性が向上する。尚、内側スリット部９が１本以上設けられれば、内側スリット部９が複数本設けられた構成よりも効果は減少するが、発明の実施するための形態の第一層２としては適用可能である。
【００４８】
図６に示した第二層３の基部層３６の下面部（ベッド側面部）には、複数本の曲げ誘導部５７が長手方向６に分かれて設けられる。曲げ誘導部５７は、基部層３６の下面部及び短手方向７の両側部に開口し、基部層３６の下面部から内部に窪む凹部として構成される。このように基部層３６の下面部に複数本の曲げ誘導部５７が設けられた構成により、発明を実施するための形態２に係るマットレス装置１にあっては、マットレス装置１が図４に示したようにベッド４６の上に搭載された状態において背上げ機構４８が図５の仮想線で示す位置から実線で示す位置に起き上がるのに伴って、第二層３が曲げ誘導部５７から折れ曲がりやすくなる。又、曲げ誘導部５７の存在により、第二層３を長手方向６に折り畳む時に折り畳みやすくなる。
【００４９】
図６に示したエアーマットレス４では、マットレス装置１に横たる人５１（図４参照）の好みに合わせてエアーマットレス４の硬さが複数段階に調整可能になっている。制御箱体５に設けられた図示のされていない設定操作部がマットレス装置１の外部から人為的に操作し得るように第二層３に設置される。そして、人５１の好みに合わせてエアーマットレス４の硬さを調整しようとする人が設定操作部をエアーマットレス４の硬さを調整しようとする或る１つの段階に操作すると、制御部３０（図１参照）が上記設定操作部の操作されたエアーマットレス４の硬さを調整しようとする或る１つの段階の圧縮空気圧を最大値として記憶部に保存する。この記憶部に保存された最大値は、人５１の好みに合わせてエアーマットレス４の硬さを調整しようとする人が設定操作部をエアーマットレス４の硬さを調整しようとする別の１つの段階に操作するまで、制御部３０（図１参照）の記憶部に保存される。人５１の好みに合わせてエアーマットレス４の硬さを調整しようとする人が設定操作部をエアーマットレス４の硬さを調整しようとする別の１つの段階に操作すると、制御部３０が上記設定操作部の操作されたエアーマットレス４の硬さを調整しようとする別の１つの段階の圧縮空気圧を最大値として記憶部に保存するようになっている。即ち、記憶部に保存された最大値は書き換え可能になっている。又、制御部３０の記憶部に保存された再始動値は、上記最大値が書き換えられるのに基づき書き換えられるように書き換え可能になっている。
【００５０】
又、マットレス装置１のプラグ部３４（図１参照）が室内の図示のされていない商用電源部のコンセント部に差し込まれ、制御箱体５の電源スイッチ部が人為的な操作でオン動作され、ポンプ部２９（図１参照）及び制御部３０が作動し、表示灯部３１が正常な作動状態を示す緑色を発光し、エアーマットレス４の複数個のエアーセル２７（図１参照）が膨張し、エアーセル２７の内部の圧力が最大値に到達するに伴って、検出空気圧が制御部３０の記憶部に書き換え可能に保存された最大値に到達すると、制御部３０がポンプ部２９への電力供給を停止し、その後、検出空気圧が最大値から減少し制御部３０の記憶部に書き換え可能に保存された再始動値に到達すると、制御部３０がポンプ部２９への電力供給を再開するようになっている。即ち、発明を実施するための形態２に係るエアーマットレス４は、制御部３０の記憶部に書き換え可能に保存された最大値と制御部３０の記憶部に書き換え可能に保存された再始動値と間に空気圧を一定に保つ圧切替型になっている。
【００５１】
図３又は図６に示したエアーマットレス４が図示のされていない固定具で第二層３に固定されることにより、エアーマットレス４が図１に示したマット収容室２１に固定される。エアーマットレス４を第二層３に固定する図示のされていない固定具としては、面ファスナー、ホック、両面テープ、接着剤、紐、トグルボタン等が適用可能である。エアーマットレス４を第二層３に図示のされていない固定具で固定する場合、少なくとも、エアーマットレス４の四隅を第二層３に固定しておけば、エアーマットレス４の位置を保つことができる。
【００５２】
図３又は図６に図示のされていない保護層が図３又は図６に示した第一層２の上側或いは下側に設けられることにより、外側スリット部８及び内側スリット部９が破損から保護される。保護層は、外側スリット部８及び内側スリット部９によるハンモック現象を抑制する効果を阻害しないような厚みを有し、不織布又はウレタンフォーム等からなるフォームマットレスにより構成される。保護層が第一層２の上側に設けられた場合は保護層が図示のされていない外装体と第一層２との間に配置され、保護層が第一層２の下側に設けられた場合は保護層が第一層２とエアーマットレス４との間に配置される。
【符号の説明】
【００５３】
１はマットレス装置、２は第一層、３は第二層、４はエアーマットレス、５は制御箱体、６は長手方向、７は短手方向、８は外側スリット部、９は内側スリット部、１０は上下方向、１１は頭領域、１２は中央領域、１３は足領域、１４は短手方向７の中心線、１５，１６は直線、１７は長手方向６の中心線、１８乃至２０は欠番、２１はマット収容室、２２はボックス収容室、２３，２４は溝部、２５は表示孔部、２６は欠番、２７はエアーセル、２８は欠番、２９はポンプ部、３０は制御部、３１は表示灯部、３２はエアーホース、３３はプラグ部、３４は電源線、３５は欠番、３６は基部層、３７，３８は側部層、３９は足部層、４０は下ボックス収容室、４１は上ボックス収容室、４２乃至４４は一点鎖線、４６はベッド、４７は固定フレーム、４８は背上げ機構、４９は脚部、５０は床、５１は人、５２乃至５４は欠番、５５は背上げ機構、５６はベッド、５７は曲げ誘導部、５８乃至６０は欠番、６１はマットレス装置、６２は第一層、６３は第二層、６４は第三層、６５，６６は滑り部材、６７は人。
【図１】
2015128571.tif 000003
【図２】
2015128571.tif 000004
【図３】
2015128571.tif 000005
【図４】
2015128571.tif 000006
【図５】
2015128571.tif 000007
【図６】
2015128571.tif 000008
【図７】
2015128571.tif 000009
【図８】
2015128571.tif 000010